(57)【要約】【課題】浴槽内に載置して使用する浴槽椅子や浴槽内への入出のステップとして使用できるのに加えて、一方の浴槽内壁に背もたれした状態にある者の足先と他方の浴槽内壁との間に介在させ、足裏を宛がった状態で踏ん張る支持台となるフットレストとしての機能をも備えている浴槽椅子の提供を目的とする。【解決手段】着座部と脚部とを備え、前記着座部の一側壁を浴槽内の一方の壁面側に沿わせるように載置して使用する浴槽椅子であって、着座部の他側壁が、一側壁よりも下方に長い垂れ壁となっていることを特徴とする構成とした。【選択図】      図１
2004329553.tif 000002
【特許請求の範囲】
【請求項１】
着座部と脚部とを備え、前記着座部の一側壁を浴槽内の一方の壁面側に沿わせるように載置して使用する浴槽椅子であって、
着座部の他側壁が、一側壁よりも下方に長い垂れ壁となっていることを特徴とする浴槽椅子。
【請求項２】
浴槽への装着時、浴槽の内壁に弾接して着座部の動きを規制する弾性部材が、着座部の側面に形成されている請求項１に記載の浴槽椅子。
【請求項３】
着座面が、浴槽内の他側壁側から一側壁側に下り勾配となるように傾斜している請求項１または請求項２に記載の浴槽椅子。
【請求項４】
浴槽内の設置状態で、着座面の高さが、浴室洗い場の床部分の高さと略同じ高さとなる長さに脚部が設けられている請求項１〜請求項３のいずれかに記載の浴槽椅子。
【請求項５】
垂れ壁の下端と、浴槽床との間に隙間が形成されている請求項１〜請求項４のいずれかに記載の浴槽椅子。
【請求項６】
着座部が、浴槽の側面壁に設けられている湯の循環ノズルに対応する位置に、前記循環ノズルを回避する切り欠きが設けられている請求項１〜請求項５のいずれかに記載の浴槽椅子。
【請求項７】
着座部が、アクリル真空成型により形成された上面形成部材と、下面形成部材とを繊維強化プラスチック樹脂を介在させて接着されてなる請求項１〜請求項６のいずれかに記載の浴槽椅子。
【請求項８】
少なくとも着座部における上面形成部材と下面形成部材との接着部分の着座部外側に臨んでいる部分が、樹脂材料により防水コーティングされている請求項７に記載の浴槽椅子。
【発明の詳細な説明】
【０００１】
【発明の属する技術分野】
本発明は、浴槽内に載置して使用する浴槽椅子に関する。
【０００２】
【従来の技術】
従来、浴槽内に載置して使用する浴槽椅子としては、図６に示したように、腰掛け部分となる板状の着座部１０２と、着座部１０２の各コーナー部近傍でそれぞれ下方に向けて延出している４本の脚部１０３とを備えた浴槽椅子１００が知られている。
着座部１０２は、多数の孔１０２ａが穿設されており、湯が張られた状態の浴槽内に浴槽椅子１００を載置させるとき、着座部１０２の下方部分に溜まる空気が抜けるようになっている。
脚部１０３は、先端に吸盤１０３ａが設けられており、浮力などにより浴槽椅子１００が不安定になることを防ぎ、安定した状態で浴槽椅子１００を浴槽床に固定するようになっている。
【０００３】
また、対向する内壁面に肘掛け用の傾斜面が設けられている浴槽の場合、対向する前記肘掛け用の傾斜面にバスボードを掛け渡して浴槽椅子を形成させることも提案されている。（たとえば、特開２００２−３００９８１号公報参照。）
【０００４】
【発明が解決しようとする課題】
しかし、上述した浴槽椅子１００は、浴槽床に吸盤１０３ａで固定されているため、上方向からの力に対して固定保持力を備えているが、横方向からの力に対しては不安定である。したがって、浴槽椅子１００を入浴する際のステップとして使用したとき、浴槽内で浴槽椅子１００が横方向にずれ動くおそれがあり危険であるという問題がある。
【０００５】
また、特開２００２−３００９８１号公報で提案されているバスボードは、肘掛け用の傾斜面の上に載置させて浴槽椅子を形成させるという構造上、肘掛け用の傾斜面が設けられている位置を低い位置に設定しなければ、浴槽椅子として使用したとき、体の殆どが湯船に浸からなくなってしまうという問題がある。
【０００６】
同様の理由から、上記バスボードを取り付ける浴槽は、浴槽深さを深くするとともに略満水状態まで湯を張る必要もあり、多くの制約が必要となってしまうとともに、掛け渡したバスボードを入浴の際にステップとして使用するには、洗い場床の高さよりも高くなってしまうため、適しているとはいえない。
【０００７】
また、上述した浴槽椅子１００および特開２００２−３００９８１号公報で提案されているバスボードは、いずれも入浴している者の足先を支持するフットレストとして使用するには適していない。
【０００８】
すなわち、上記フットレストは、一方の浴槽内壁部分に背もたれした状態で、足を伸ばしたとき足先が他方の浴槽内壁部分に届かないような大きめの浴槽で入浴する際、足先方向にずり落ちてしまうのを防ぐために、前記他方の浴槽内壁部分と足先部分との間に介在させ、足裏を宛がった状態で踏ん張ってもずれ動かず安定していることが必要となる。
【０００９】
しかし、特開２００２−３００９８１号公報で提案されているバスボードは、肘掛け用の傾斜面に載置しているだけであるため、上述したフットレストとして使用する際の安定性に欠け、その側面部分に足裏を宛がった状態で踏ん張ったとき、踏ん張った力によりバスボードが取り付けられている肘掛け用の傾斜面からずり落ちたり、ひっくり返ったりしてしまう。
【００１０】
また、浴槽椅子１００は、吸盤１０３ａにより浴槽床に吸着固定されてはいるが、上述したバスボードと同様に側方からの力に対しては安定性に欠けるという問題があり、しかも足裏を受けるだけの側面を有していないため、足裏を宛がった状態で踏ん張ることが難しいという問題がある。
【００１１】
そこで、本発明は、このような事情に鑑みて、浴槽内に載置して使用する浴槽椅子や浴槽内への入出のステップとして使用できるのに加えて、一方の浴槽内壁に背もたれした状態にある者の足先と他方の浴槽内壁との間に介在させ、足裏を宛がった状態で踏ん張る支持台となるフットレストとしての機能をも備えている浴槽椅子を提供することを目的としている。
【００１２】
【課題を解決するための手段】
このような目的を達成するために、本発明の請求項１に記載の発明にかかる浴槽椅子（以下、「請求項１の浴槽椅子」と記す。）は、着座部と脚部とを備え、前記着座部の一側壁を浴槽内の一方の壁面側に沿わせるように載置して使用する浴槽椅子であって、着座部の他側壁が、一側壁よりも下方に長い垂れ壁となっていることを特徴とする構成とした。
【００１３】
また、本発明の請求項２に記載の発明にかかる浴槽椅子（以下、「請求項２の浴槽椅子」と記す。）は、請求項１の浴槽椅子の構成に加えて、浴槽への装着時、浴槽の内壁に弾接して着座部の動きを規制する弾性部材が、着座部の側面に形成されている構成とした。
【００１４】
また、本発明の請求項３に記載の発明にかかる浴槽椅子（以下、「請求項３の浴槽椅子」と記す。）は、請求項１または請求項２の浴槽椅子の構成に加えて、着座面が、浴槽内の他側壁側から一側壁側に下り勾配となるように傾斜している構成とした。
【００１５】
また、本発明の請求項４に記載の発明にかかる浴槽椅子（以下、「請求項４の浴槽椅子」と記す。）は、請求項１〜請求項３のいずれかの浴槽椅子の構成に加えて、浴槽内の設置状態で、着座面の高さが、浴室洗い場の床部分の高さと略同じ高さとなる長さに脚部が設けられている構成とした。
【００１６】
また、本発明の請求項５に記載の発明にかかる浴槽椅子（以下、「請求項５の浴槽椅子」と記す。）は、請求項１〜請求項４のいずれかの浴槽椅子の構成に加えて、垂れ壁の下端と、浴槽床との間に隙間が形成されている構成とした。
【００１７】
また、本発明の請求項６に記載の発明にかかる浴槽椅子（以下、「請求項６の浴槽椅子」と記す。）は、請求項１〜請求項５のいずれかの浴槽椅子の構成に加えて、着座部が、浴槽の側面壁に設けられている湯の循環ノズルに対応する位置に、前記循環ノズルを回避する切り欠きが設けられている構成とした。
【００１８】
また、本発明の請求項７に記載の発明にかかる浴槽椅子（以下、「請求項７の浴槽椅子」と記す。）は、請求項１〜請求項６のいずれかの浴槽椅子の構成に加えて、着座部が、アクリル真空成型により形成された上面形成部材と、下面形成部材とを繊維強化プラスチック樹脂を介在させて接着されてなる構成とした。
【００１９】
また、本発明の請求項８に記載の発明にかかる浴槽椅子（以下、「請求項８の浴槽椅子」と記す。）は、請求項７の浴槽椅子の構成に加えて、少なくとも着座部における上面形成部材と下面形成部材との接着部分の着座部外側に臨んでいる部分が、樹脂材料により防水コーティングされている構成とした。
【００２０】
上記構成において、着座部の形状は、浴槽内に載置可能な大きさであれば特に限定されないが、浴槽内の一方の壁面およびこの壁面を挟む側壁面により形成される空間に丁度収まる程度の大きさ・形状とすると、入浴剤などにより浴槽内が見えないときでも、浴槽椅子を踏み外すことなく入浴用のステップとして使用することができるようになるため好ましい。
また、請求項２の浴槽椅子のように着座部の側面に弾性部材を形成させたとき、確実に浴槽椅子を保持することができるため好ましい。
【００２１】
さらに、浴槽椅子の着座部の高さは、請求項４の浴槽椅子のように、浴槽内に載置したとき着座面の高さが浴室洗い場の床部分の高さと略同じとなるようにすると、浴槽内と浴室洗い場との出入りが最も自然に行えるようになるため好ましい。
加えて、着座部は、請求項６の浴槽椅子のように、浴槽内に設けられている循環ノズルを回避する切り欠きを設けるようにすると、浴槽椅子を設置した状態でも循環ノズルから供給されるお湯の流れを阻害することがなくなる。
【００２２】
また、着座部は、最も一般的な樹脂成型品と同様に、ポリエチレン系樹脂やポリプロピレン系樹脂などの射出成型品やブロー成型品などにより構成されていてもよく、特に限定されないが、請求項７の浴槽椅子のように、アクリル真空成型により形成した上面形成部材と、下面形成部材とを繊維強化プラスチック樹脂（ＦＲＰ）を介在させて接着することにより着座部を形成するようにすると、金型起工などに対する初期投資を抑えて安価に製造することができるにもかかわらず、表面部分の平滑性が確保され清潔性や安全性に優れているとともに、ＦＲＰによる補強効果で強度的にも問題のない着座部を得ることができるため好ましい。
【００２３】
また、上述したようにアクリル真空成型品である上面形成部材と下面形成部材とをＦＲＰを介在させて接着するときは、請求項８の浴槽椅子のように、接着部分の着座部外側に臨んでいる部分が、樹脂材料により防水コーティングされるようにすると、着座部内に湯水が浸入して、製品剥離を起こして安全性に問題を生じたり、菌が繁殖して衛生的に問題を生じたりするおそれがなくなるため好ましい。
【００２４】
また、垂れ壁は、浴槽内の一方の側面壁に沿わせている着座部の一側壁よりも幅広に形成されていれば特に限定されないが、足裏に好適に宛がわれるためには５ｃｍ〜１５ｃｍ程度の幅を有していることが好ましく、５ｃｍ〜１０ｃｍ程度の幅を有していることがより好ましい。
すなわち、垂れ壁の幅が狭すぎると足裏を十分に支持することができず、逆に垂れ壁の幅が大きすぎると、浴槽椅子自身の高さを高く設定する必要が生じてしまい、半身浴などが行いにくくなってしまうおそれが生じてしまう。
【００２５】
また、請求項５の浴槽のように、垂れ壁の下端と、浴槽床との間に隙間が形成されるようにすると、垂れ壁に荷重がかかったとき着座面が変形することにより不快な擦れ音などが生じることを防ぐことができるとともに、浴槽内に浴槽椅子を入れたままの状態で排水を行っても、浴槽椅子と浴槽床との間に水が留まることがない。さらに、垂れ壁の下端と浴槽床との間で足先を挟むことがない。
【００２６】
【発明の実施の形態】
以下に、本発明の実施の形態を、図面を参照しつつ詳しく説明する。
図１は、本発明にかかる浴槽椅子の１実施形態である浴槽椅子１を示した側面視断面図である。
図１に示したように、浴槽椅子１は、着座部２と脚部３とを備えている。
【００２７】
着座部２は、図１に示したように、上面形成部材２０ａと下面形成部材２０ｂとを繊維強化プラスチック樹脂（以下、「ＦＲＰ」と記す。）２０ｃを介在させて接着することにより形成されており、着座面２１、垂れ２２、浴槽壁当接面２３を備えている。
【００２８】
上面形成部材２０ａおよび下面形成部材２０ｂは、それぞれの形状に合わせた型を用いてアクリルシートを真空成型することで形成される。
また、上面形成部材２０ａおよび下面形成部材２０ｂがＦＲＰ２０ｃを介在させて接着されている着座部２の外側に臨んでいる部分は、ソフトアクリルのモール材２０ｄで覆い防水コーティング処理が施されている。
【００２９】
着座面２１は、図１〜図４に示したように中心部よりも周囲が盛り上った形状をしているとともに、浴槽壁当接面２３側が低くなるようにに傾斜が設けられている。
【００３０】
また、着座面２１は、浴槽４の一方の壁面側に沿わせて配置させたとき、図５に示したように、浴槽本体４０の内壁に沿うような形状に形成されており、また、着座面２１の浴槽壁当接面２３側の中央部分に切り欠き凹部２１ａが設けられているとともに、周壁に着座部２の動きを規制する弾性部材２１ｂが設けられている。
【００３１】
切り欠き凹部２１ａは、図５に示したように、浴槽本体４に設けられている循環ノズル４４と対応する位置に設けられ、循環ノズル４４を丁度回避する大きさをしている。
弾性部材２１ｂは、耐久性や耐熱性に優れたシリコンゴムにより形成され、浴槽本体４の周壁に沿うように上方側の肉厚が厚くなるように形成されている。
【００３２】
垂れ壁２２は、浴槽壁当接面２３よりも下方に長く形成されており、図１に示したように浴槽椅子１を載置した状態で浴槽床４１との間に隙間Ｓが形成されるようになっている。
脚部３は、図４および図５に示したように、着座部２の下面の外周縁近傍の５箇所に設けられており、パイプ形状をした脚部本体３１と、ゴム製のキャップ３２とを備えている。
【００３３】
脚部本体３１は、図１に示したように、一端側がボルト５により着座部２に螺着固定されており、他端にキャップ３２が取り付けられている。
キャップ３２は、下側の径が大きく形成され、浴槽床４１に対してグリップ力が働くようになっている。
【００３４】
以上のような構成をしている浴槽椅子１は、図５に示したように、浴槽本体４の一方の壁面４３側に沿わせるようにして載置することで、洗い場床から浴槽床４１に出入りする際のステップとして使用することができる。
このとき、着座面２１は、中心部よりも周囲が盛り上った形状をしているため、浴槽内のお湯が入浴剤などを入れることにより透明でない場合であっても、入浴する者が浴槽椅子の端部がどの辺りに位置するのかを足裏からの感覚により識別することができ、また着座面２１の内側方向に荷重がかかる構造となっているため、浴槽内で浴槽椅子が引っくり返りにくくなっている。
【００３５】
また、入浴状態にあるときは、図２および図３に示したように使用することができる。
まず、図２は、入浴者Ｐが浴槽４の他方の壁４３に背もたれした状態にあるとき、入浴者Ｐの足先部分Ｆと、浴槽４の一方の壁４２との間に浴槽椅子１を介在させてフットレストとして使用している様子を示した側面図である。
【００３６】
図２に示したように、入浴者Ｐの足先部分Ｆは、浴槽椅子１の着座部２の垂れ壁２２に支持されることで、入浴者Ｐが大きな浴槽に使っていても、足先部分Ｆ側へずり落ちることなく踏ん張ることが可能となっている。
すなわち、浴槽椅子１は、足先側となる浴槽４の一方の壁４２が、着座部の幅だけ入浴者Ｐ側へと近づいたこととなるため、小柄な人でも足先を支持させる面を提供することができる。
【００３７】
また、垂れ壁２２は、浴槽床４１との間に隙間が設けられているため、足先部分Ｆから垂れ壁２２に大きな荷重が掛けられたときであっても、着座部２自身が歪んだ際に、垂れ壁２２の下端部が浴槽床４１と擦れ合って不快な音を発することがなく、また、所定の隙間を予め確保していることから、垂れ壁２２と浴槽床４１との間で足先部分Ｆを挟むこともない。
【００３８】
図３は、浴槽椅子１の着座面２１に腰掛けて入浴している状態を示した側面図である。
図３に示したように、浴槽椅子１は、腰掛けることで、一般に浴槽本体４内に湯張りを行う８０％満水時の水位高さが、丁度入浴者Ｐの胸の位置に来るようになっているため、最も半身浴を行う際に理想的とされる心臓近辺に水位レベルを確保することを容易に行うことが可能となる。
【００３９】
また、着座面２１は、僅かに一方の壁４２側が低くなるような傾斜が設けられているとともに、中心部よりも周囲が盛り上った形状をしているため、浴槽椅子１を半身浴を行う際のベンチとして使用したとき、入浴者Ｐが、着座面２１から滑り落ちることが起こりにくく、より安定した状態で着座面２１上に腰掛けることが可能となる。
【００４０】
上述したように使用される浴槽椅子１は、着座面２１に傾斜面が設けられているとともに、中心部よりも周囲が盛り上った形状をしており、しかも、切り欠き凹部２１ａが設けられているため、着座面２１上に残った水が除去されやすくなっている。
【００４１】
また、図５に示したように、浴槽本体４１の内壁部分に沿うように着座部２が形成されているとともに、弾性部材２１ｂが着座部２の周囲を浴槽の内壁部分で保持させるようにしているため、脚部３のゴム製のキャップ３２による浴槽床４１への保持固定効果と加えて、確実に浴槽椅子１を浴槽本体４内に固定保持することが可能となるのである。
【００４２】
なお、本発明にかかる浴槽椅子は、上記実施の形態に限定されるものではない。
たとえば、上記実施の形態では、浴槽椅子１は、５本の脚部３を備えていたが、安定して浴槽椅子が浴槽内に保持固定できるのであれば、脚部の数が４本以下であっても、６本以上であっても構わない。
【００４３】
【発明の効果】
本発明の請求項１にかかる浴槽椅子は、以上のように構成されているので、浴槽内に載置して使用する浴槽椅子や浴槽内への入出のステップとして使用できるのに加えて、一方の浴槽内壁に背もたれした状態にある者の足先と他方の浴槽内壁との間に介在させ、足裏を宛がった状態で踏ん張る支持台となるフットレストとしての機能をも備えている。
したがって、一方の壁に足先が届かないような浴槽に入浴するときでも、垂れ壁が足先部分を支持することで、快適安全に入浴することができる。
【００４４】
また、本発明の請求項２にかかる浴槽椅子は、請求項１の浴槽椅子の効果に加えて、弾性部材が浴槽周壁部分から着座部を保持するようになっているため、確実に浴槽内に保持固定される。
また、本発明の請求項３にかかる浴槽椅子は、請求項１または請求項２の浴槽椅子の効果に加えて、傾斜が設けられているため半身浴のベンチとして使用したとき、入浴者の安定度を高める。
【００４５】
また、本発明の請求項４にかかる浴槽椅子は、請求項１〜請求項３の何れかに記載の浴槽椅子の効果に加えて、着座面の高さが浴室洗い場の床部分の高さと略同じ高さとなるようになっているため、浴槽内に洗い場から容易に出入りすることができるステップとして機能させることができる。
【００４６】
また、本発明の請求項５にかかる浴槽椅子は、請求項１〜請求項４の何れかに記載の浴槽椅子の効果に加えて、浴槽床との間に隙間が形成されているため、浴槽椅子をフットレストとして使用したとき、垂れ壁に荷重がかかったときでも、垂れ壁が浴槽床と擦れて不快な音を発することなく、浴槽内に設置したままでも浴槽床の排水機能を損なうこともない。
【００４７】
また、本発明の請求項６にかかる浴槽椅子は、請求項１〜請求項５の何れかに記載の浴槽椅子の効果に加えて、循環ノズルを回避する切り欠きが設けられているため、浴槽椅子を設置したままであっても、循環ノズルからの給湯が阻害されることがない。
【００４８】
また、本発明の請求項７にかかる浴槽椅子は、請求項１〜請求項６の何れかに記載の浴槽椅子の効果に加えて、着座部がアクリル真空成型により形成された上面形成部材と下面形成部材とが繊維強化プラスチック樹脂を介在されて接着されている構成をしているため、金型を作成する設備のコストを安く抑えることができるとともに、強度的に優れた浴槽椅子を得ることができる。
【００４９】
また、本発明の請求項８にかかる浴槽椅子は、請求項７に記載の浴槽椅子の効果に加えて、防水コーティング処理がなされているため、着座部内に水が入り込んで張り合わせ部分が剥がれたり、水が腐って衛生的に問題が生じたりすることがなくなる。
【図面の簡単な説明】
【図１】本発明にかかる浴槽椅子の１実施形態を示した側面視断面図である。
【図２】図１の浴槽椅子をフットレストとして使用した様子を示した側面図である。
【図３】図１の浴槽椅子を半身浴のベンチとして使用した様子を示した側面図である。
【図４】図１の浴槽椅子を示した上面図および側面図である。
【図５】図１の浴槽椅子を浴槽内に取り付けた状態を示した側面図である。
【図６】従来の浴槽椅子を示した斜視図である。
【符号の説明】
１      浴槽椅子
２      着座部
２１    着座面
２２    垂れ面
３      脚部
４      浴槽本体
４１    浴槽床
Ｐ      入浴者
Ｆ      足先部分
【図１】
2004329553.tif 000003
【図２】
2004329553.tif 000004
【図３】
2004329553.tif 000005
【図４】
2004329553.tif 000006
【図５】
2004329553.tif 000007
【図６】
2004329553.tif 000008